(57)【要約】【課題】傘の生地の重なりを抑制し、効率的に傘の水滴を吹き飛ばす傘乾燥機を提供する。【解決手段】上面と両側面が開放した開放部を有する筺体と、前記筺体内に設けられ、気流を発生させる送風機と、前記筺体の前記開放部周縁の側壁に形成される複数の噴出口と、前記送風機の送風側と前記複数の噴出口とを連通する第１送風経路と、を備える。前記複数の噴出口の内、少なくとも２つの噴出口から噴出される噴流の向きが異なるよう前記送風経路を形成することにより、噴出口からの噴流による傘の生地の重なりを抑制し、効率的に傘を乾燥させることができる。【選択図】図４
2018136084.tif 000002
【特許請求の範囲】
【請求項１】
傘の生地に付着した水滴を除去する傘乾燥機において、
上面と両側面が開放した開放部を有する筺体と、
前記筺体内に設けられ、気流を発生させる送風機と、
前記筺体の前記開放部周縁の内面側壁に形成される複数の噴出口と、
前記送風機の送風側と前記複数の噴出口とを連通する第１送風経路と、を備え、
前記複数の噴出口は、少なくとも２つの噴出口から噴出される噴流の向きが異なるよう前記送風経路を形成する傘乾燥機。
【請求項２】
前記複数の噴出口には少なくとも、相対する前記両側面の方向に向けて噴流を噴出する２つの 噴出口を有するよう前記送風経路を形成する請求項１に記載の傘乾燥機。
【請求項３】
前記筐体の前記開放部周縁の側壁に起伏部を備え、前記起伏部の前方近傍に設けられた前記噴出口から前方に向けて噴流が噴出し、前記起伏部の後方近傍に設けられた前記噴出口から後方に向けて噴流が噴出するよう前記送風経路を形成する請求項１または請求項２に記載の傘乾燥機。
【請求項４】
前記筐体の内底面に底部噴出口を形成し、前記送風機の送風側と前記底部噴出口とを連通する第２送風経路を備え、第２送風経路は、前記底部噴出口から上方に向けて噴流を噴出するよう形成する前記請求項１から請求項３のいずれか１項に記載の傘乾燥機。
【発明の詳細な説明】
【技術分野】
【０００１】
本発明は、傘乾燥機に関する。
【背景技術】
【０００２】
特許文献１は、気流を発生する送風機を用いて濡れた傘の水滴を除去する傘乾燥機を開示する。
【０００３】
この傘乾燥機は、上面と両端側面が開放した略Ｕ字形状の傘乾燥機本体と、傘乾燥機本体内部に設けられ気流を発生させる送風機と、傘乾燥機本体の開放部周縁の内面側壁に形成される複数の噴出口と、送風機の送風側と複数の噴出口とを連通する送風経路とを備えている。
【０００４】
濡れた傘を傘乾燥機本体の略Ｕ字状に開放した開放部を一端側面から他端側面に向けて通過する際、噴出口から噴出する噴流により傘に付着した水滴を吹き飛ばすことで傘を乾燥させることができる。
【先行技術文献】
【特許文献】
【０００５】
【特許文献１】特開２００１―２０８４７０号公報
【発明の概要】
【発明が解決しようとする課題】
【０００６】
しかしながら、前記従来の構成では、送風機から噴出する噴流により傘の生地が重なり、重なった傘の生地に付着した水滴を吹き飛ばすことができないという課題を有していた。
【０００７】
本発明は、前記従来の課題を解決するもので、噴出口からの噴流による傘の生地の重なりを抑制し、効率的に傘を乾燥させる傘乾燥機を提供することを目的とする。
【課題を解決するための手段】
【０００８】
前記従来の課題を解決するために、本発明の傘乾燥機は、上面と両側面が開放した開放部を有する筺体と、前記筺体内に設けられ、気流を発生させる送風機と、前記筺体の前記開放部周縁の内面側壁に形成される複数の噴出口と、前記送風機の送風側と前記複数の噴出口とを連通する第１送風経路と、を備え、前記複数の噴出口は、少なくとも２つの噴出口から噴出される噴流の向きが異なるよう前記送風経路を形成することにより、噴出口からの噴流による傘の生地の重なりを抑制し、効率的に傘を乾燥させることができる。
【発明の効果】
【０００９】
本発明の傘乾燥機は、噴出口からの噴流による傘の生地の重なりを抑制し、効率的に傘を乾燥させることができる。
【図面の簡単な説明】
【００１０】
【図１】（ａ）本発明の実施の形態１における傘乾燥機の全体斜視図、（ｂ）同傘乾燥機の部分斜視図
【図２】同傘乾燥機の図１のＸ−Ｘ断面図
【図３】同傘乾燥機に傘を挿入した状態の上面図
【図４】同傘乾燥機の傘を挿入した状態の上面図
【図５】同傘乾燥機の傘を挿入した状態の上面図
【図６】本発明の実施の形態２における傘乾燥機の部分斜視図
【図７】同傘乾燥機に傘を挿入した状態の上面図
【図８】本発明の実施の形態３における傘乾燥機の縦断面図
【発明を実施するための形態】
【００１１】
第１の発明は、上面と両側面が開放した開放部を有する筺体と、前記筺体内に設けられ、気流を発生させる送風機と、前記筺体の前記開放部周縁の内面側壁に形成される複数の噴出口と、前記送風機の送風側と前記複数の噴出口とを連通する第１送風経路と、を備え、前記複数の噴出口は、少なくとも２つの噴出口から噴出される噴流の向きが異なるよう前記送風経路を形成することにより、噴出口からの噴流による傘の生地の重なりを抑制し、効率的に傘を乾燥させることができる。
【００１２】
第２の発明は、特に第１の発明の傘乾燥機にて、前記複数の噴出口には少なくとも、相対する前記両側面の方向に向けて噴流を噴出する２つの 噴出口を有するよう前記送風経路を形成することで、噴出口からの噴流による傘の生地の重なりを抑制し、効率的に傘を乾燥させることができる。
【００１３】
第３の発明は、特に第１または第２の発明の傘乾燥機にて、前記筐体の前記開放部周縁の側壁に起伏部を備え、前記起伏部の前方近傍に設けられた前記噴出口から前方に向けて噴流が噴出し、前記起伏部の後方近傍に設けられた前記噴出口から後方に向けて噴流が噴出するよう前記送風経路を形成することにより、傘の生地が開き易くなり、効率的に傘を乾燥させることができる。
【００１４】
第４の発明は、特に第１〜３の発明の傘乾燥機にて、前記筐体の内底面に底部噴出口を形成し、前記送風機の送風側と前記底部噴出口とを連通する第２送風経路を備え、第２送風経路は、前記底部噴出口から上方に向けて噴流を噴出するよう形成することにより、傘の露先付近の生地にも噴流を当て、水滴を拭き飛ばすことができる。
【００１５】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、添付図面および以下の説明は、当業者が本会時を十分理解するために、提供されているのであって、これらにより、特許請求の範囲に記載の主題を限定することは意図されていない。
【００１７】
（実施の形態１）
以下、図１〜図５を用いて、実施の形態１を説明する。
【００１８】
図１（ａ）は、実施の形態１における傘乾燥機の全体斜視図、図１（ｂ）は、同傘乾燥機の部分斜視図、図２は、同傘乾燥機の図１のＸ−Ｘ断面図である。
【００１９】
図１に示すように、傘乾燥機本体１（筺体）は、上面１ｃと短手方向の両側面１ａ、１ｂが開口した略Ｕ字形状で構成されている。図１（ａ）、（ｂ）に示すように、傘乾燥機本体１の開口部１ｅ周縁の内面側壁１ｄには、複数の噴出口３が形成されている。図２に示すように、傘乾燥機本体１内部には、気流を発生させる送風機２が設けられている。送風機２の送風側と噴出口３とは、送風経路４（第１送風経路）により連通している。
【００２０】
以上のように構成された傘乾燥機について、その動作、作用を以下説明する。
【００２１】
図３〜図５は、傘乾燥機の傘を挿入した状態の上面図である。
【００２２】
図３は、濡れた傘９を傘乾燥機本体１の開口部１ｅ内に挿入し、側面１ａ側から進行方向Ａに向けて通過させる途中の上面図である。
【００２３】
図３に示すように、傘９が開口部１ｅ内を通過する際、噴出口３ａから後方に向けて噴出する噴流Ｂ２が傘９に当たることで、傘９の生地９ａが後方に露出する。生地９ａが露出した状態で、噴出口３ｃから進行方向Ａに対して略垂直方向に噴出する噴流Ｂ１を生地９ａに当てることにより、生地９ａに付着した水滴を吹き飛ばすことができる。
【００２４】
図４は、図３よりも傘９を前方に向けて進行させた状態の上面図である。
【００２５】
図４に示すように、噴出口３ａから後方に向けて噴出する噴流Ｂ２を傘９に当てることにより、生地９ｃを後方に露出させることができる。また、噴出口３ｂから前方に向けて噴出する噴流Ｂ３を傘９に当てることで、生地９ｃと生地９ｂとの隙間に噴流Ｂ３が入り込み、生地９ｂを前方に露出させることができる。噴出口３ｃから噴出する噴流Ｂ１を露出した生地９ｂ、９ｃに当てることにより、生地９ｂ、９ｃに付着した水滴を吹き飛ばすことができる。
【００２６】
図５は、図４よりも傘９を前方に向けて進行させた状態の上面図である。
【００２７】
図５も同様にして、傘９の生地９ｄ、９ｅを露出させ、露出した生地９ｄ、９ｅに噴流を当てることにより、生地９ｄ、９ｅに付着した水滴を吹き飛ばすことができる。
【００２８】
上記のようにして、濡れた傘９を傘乾燥機本体１の開口部１ｅを側面１ａから進行方向Ａに向けて通過させることで、傘９の生地を露出させ、露出した生地に付着した水滴を吹き飛ばすことができるので、傘９を効率的に乾燥させることができる。
【００２９】
（実施の形態２）
図６は、実施の形態２における傘乾燥機の部分斜視図、図７は、同傘乾燥機に傘を挿入した状態の上面図である。
【００３０】
以下、図６、図７を用いて実施の形態２を説明する。
【００３１】
図６に示す傘乾燥機１０１は、内面側壁１０１ｄに複数の起伏部１０６を設けている。
【００３２】
以上のように構成された傘乾燥機１０１について、以下に動作、作用を説明する。
【００３３】
図７に示すように、起伏部１０６の後方側には、後方に向けて噴出する噴出口１０３ａが配設されている。また、起伏部１０６の前方側には、前方に向けて噴出する噴出口１０３ｂが配設されている。
【００３４】
実施の形態１と同様に、濡れた傘１０９を傘乾燥機本体１０１の側面１０１ａから進行方向Ａに向けて側面１０１ｂまで通過させる際の傘９の状態を説明する。
【００３５】
噴出口１０３ａから後方に向けて噴出する噴流Ｂ２を傘１０９に当てることにより、生地９ｃは後方に露出する。また、噴出口１０３ｂから前方に向けて噴出する噴流Ｂ３を傘１０９に当てることで、生地１０９ｃと生地１０９ｂとの隙間に噴流Ｂ３が入り込み、生
地１０９ｂを前方に露出させることができる。
【００３６】
噴出口１０３ａと噴出口１０３ｂの間に起伏部１０６を配設することにより、噴出口１０３ａから噴出する噴流Ｂ２と噴出口１０３ｂから噴出する噴流Ｂ３が混在することを防止できる。これにより、噴出口１０３ａ、１０３ｂから噴出しする噴流Ｂ２、Ｂ３の向きや強さを略均一に保つことができる。よって、傘１０９に一定の噴流を当てることができ、傘の生地が開き易くなる。
【００３７】
傘１０９を乾燥させる処理は実施の形態１と同様である。
【００３８】
（実施の形態３）
図８は、実施の形態３における傘乾燥機の縦断面図である。
【００３９】
以下、図８を用いて実施の形態３を説明する。
【００４０】
傘乾燥機本体２０１の内底面には、複数の底部噴出口２１３が形成されている。送風機２０２と底部噴出口２１３は、第２送風経路２１４により連通している。第２送風経路を通過した風は、底部噴出口２１３から上方に向けて噴出する。上記構成により、傘２０９が傘乾燥機本体２０１の開口部２０１ｅ内に挿入された状態において、石突き部２０９ａから露先部２０９ｂに向けて噴流Ｂ４が送られる。
【００４１】
一般的に、傘２０９の石突き２０９ａ側は生地部分が小さく、傘２０９の露先２０９ｂ側は生地部分が大きい。このため、石突き部２０９ａよりも露先部２０９ｂの方が、生地の重なり具合が大きい。
【００４２】
底部噴出口２１３から噴流Ｂ４を上方に噴出することにより、傘２０９の石突き部２０９ａ側から露先部２０９ｂ側の生地の隙間に噴流Ｂ４が入り込み、露先部２０９ｂ付近の生地に付着した水滴を吹き飛ばすことができる。また、露先付近の生地の重なりを抑制できる。
【００４３】
傘２０９を乾燥させる処理は実施の形態１と同様である。
【産業上の利用可能性】
【００４４】
本発明によれば、本発明の傘乾燥機は、筐体内に複数の気流を有することにより重なった傘の生地を開き、送風機から噴出する噴流を傘の全ての生地に当てることで傘に付いた水滴を吹き飛ばすことができるため、傘以外の濡れたものの除水機や花粉などを吹き飛ばす送風機に有用である。
【符号の説明】
【００４５】
１  傘乾燥機本体（筺体）
１ｄ  内面側壁
２  送風機
３  噴出口
４  送風経路（第１送風経路）
９  傘
１０６  起伏部
２１３  底部噴出口
２１４  第２送風経路
【図１】
2018136084.tif 000003
【図２】
2018136084.tif 000004
【図３】
2018136084.tif 000005
【図４】
2018136084.tif 000006
【図５】
2018136084.tif 000007
【図６】
2018136084.tif 000008
【図７】
2018136084.tif 000009
【図８】
2018136084.tif 000010